(57)【要約】【課題】遊技機本体の電源が投入された状態で、遊技盤またはそのコネクタが外された場合、それを検知して警告を発して、遊技盤の交換時の回路部品の破損を未然に防止することができるパチンコ遊技機を提供する。【解決手段】遊技機本体１に遊技盤４が着脱可能に装着され、遊技機本体１には少なくとも電源制御基板１５を含む制御基板が取り付けられる。遊技盤４に取り付けられた遊技盤側制御基板と遊技機本体１の制御基板間がコネクタ１６，４６を介して接続される。電源制御基板１５の電源が投入された状態で、遊技盤４が遊技機本体１から外され、制御基板間のコネクタ１６，４６が抜脱されると、検知回路１７がそれを検知する。検知回路１７が遊技盤４のコネクタ４６の抜脱を検知したとき、警告報知手段が警告を表示し或は音声でそれを報知する。【選択図】図５
2006280510.tif 000002
【特許請求の範囲】
【請求項１】
遊技機本体に遊技盤が着脱可能に装着され、該遊技機本体には少なくとも電源制御基板を含む制御基板が取り付けられ、該遊技盤に取り付けられた遊技盤側制御基板と該遊技機本体の該制御基板間がコネクタを介して接続されたパチンコ遊技機において、
該電源制御基板の電源が投入された状態で、該遊技盤が該遊技機本体から外されたことを検知する検知手段と、
該検知手段が該遊技盤の離脱を検知したとき、警告を表示し或は音声で報知する警告報知手段と、
を備えたことを特徴とするパチンコ遊技機。
【請求項２】
前記検知手段として、前記遊技機本体の一部にまたは前記遊技盤を締付固定する締付金具に、該遊技盤を離脱したとき動作するスイッチ手段が設けられたことを特徴とする請求項１記載のパチンコ遊技機。
【請求項３】
遊技機本体に遊技盤が着脱可能に装着され、該遊技機本体には少なくとも電源制御基板を含む制御基板が取り付けられ、該遊技盤に取り付けられた遊技盤側制御基板と該遊技機本体の該制御基板間がコネクタを介して接続されたパチンコ遊技機において、
該電源制御基板の電源が投入された状態で、該遊技機本体側の制御基板と該遊技盤側の該制御基板間の該コネクタが抜脱されたことを検知する検知手段と、
該検知手段が該遊技盤のコネクタの抜脱を検知したとき、警告を表示し或は音声で報知する警告報知手段と、
を備えたことを特徴とするパチンコ遊技機。
【請求項４】
前記検知手段として、前記遊技盤側制御基板と遊技機本体の制御基板間に接続されたコネクタに検知回路が接続され、該コネクタの抜脱により該検知回路の入力端子が非接続状態となったとき、該遊技機本体の制御基板側で該検知回路の入力端子に印加した電圧の変化を検知してコネクタの抜脱を検知することを特徴とする請求項３記載のパチンコ遊技機。
【請求項５】
前記検知手段として、前記遊技機本体側の制御基板内に検知回路が配設され、前記遊技盤側制御基板と遊技機本体の制御基板間に接続されたコネクタを通して該遊技盤側の制御基板から信号が該検知回路に常時入力され、該検知回路は、該コネクタの抜脱により該信号の入力が遮断されたとき、コネクタの抜脱を検知することを特徴とする請求項３記載のパチンコ遊技機。
【請求項６】
前記警告報知手段として、遊技機本体にランプ駆動基板と該ランプ駆動基板により点灯するランプを装着し、前記報知手段が遊技盤のコネクタの離脱を検知したとき、該ランプ駆動基板を動作させて該ランプを点灯表示して報知することを特徴とする請求項１または３記載のパチンコ遊技機。
【請求項７】
前記警告報知手段として、遊技機本体に音声アンプ基板とスピーカを装着し、前記検知手段が遊技盤のコネクタの抜脱を検知したとき、該音声アンプ基板を動作させて、スピーカから警告音を発生させることを特徴とする請求項１または３記載のパチンコ遊技機。
【発明の詳細な説明】
【技術分野】
【０００１】
本発明は、遊技盤の交換作業を行なう際、遊技機本体の電源スイッチが投入された状態で、不用意に遊技盤の交換作業が行なわれたような場合、警告を出してそれを報知することができるパチンコ遊技機に関する。
【背景技術】
【０００２】
周知のように、パチンコ遊技機の本体（前枠または中枠）には、賞球の払出を制御する払出制御基板、遊技球の発射を制御する発射制御基板、各基板に電源を供給する電源制御基板、及び本体側にスピーカが取り付けられている場合は、スピーカの音声を駆動する音声アンプ基板、本体側に装飾ランプが取り付けられている場合は、ランプを点灯駆動するランプ駆動基板が設けられている。
【０００３】
これに対し、パチンコ遊技機の本体内に交換可能に装着された遊技盤には、パチンコ遊技全般の制御を行う主制御基板、図柄変動表示装置に表示される画像の表示制御を行う画像制御基板、電飾の制御を行う電飾制御基板、及びスピーカの音声を制御する音声制御基板が設けられている。遊技盤の各基板つまり主制御基板、画像制御基板、電飾制御基板、及び音声制御基板は、本体側の電源及び制御基板などに接続され、遊技機本体側の基板と遊技盤側の基板の接続は、通常コネクタを設けた中継端子板とワイヤーハーネス、或はフローティングコネクタを設けた中継端子板を介して行なうようにしている。
【特許文献１】特開２００５−２７９４７号公報
【発明の開示】
【発明が解決しようとする課題】
【０００４】
ところで、パチンコ遊技機を顧客に提供しているパチンコホールでは、遊技機の新しさをアピールするために、遊技盤を比較的短い期間で新しい遊技盤と交換することを行なっており、遊技機本体はそのまま使用を継続した状態で、遊技盤のみを新しいものと交換している。
【０００５】
このような遊技盤の交換は、各パチンコホールで比較的頻繁に行なわれ、遊技盤自体の構造も、交換が容易なように、遊技機の正面側から簡単に交換できる構造となりつつあり、さらに、遊技盤に搭載された主制御基板、画像制御基板、電飾制御基板、及び音声制御基板の電気的接続が、フローティングコネクタを使用して行なう場合には、遊技盤自体を交換する際、コネクタ接続も一体的に行なわれる。
【０００６】
つまり、遊技盤を交換する際には、正面から遊技盤の縁部をロックしている複数の締付金具をアンロック状態とし、そのまま、遊技盤を遊技機本体内から外すだけの操作で、コネクタの離脱を行い、そして、直に新しい遊技盤を遊技機本体内の定位置に嵌め込むと同時に、フローティングコネクタを嵌合させて電気接続を完了し、遊技盤の交換作業を行なっている。
【０００７】
しかるに、上記のように、あまりに簡単に且つ短時間の内に遊技盤の交換作業が行なわれるため、作業者によっては、パチンコ遊技機の本体の内側に配置された電源スイッチを投入したまま、交換作業を行なうケースがあった。
【０００８】
このため、本体から外される古い遊技盤はともかく、新しい遊技盤のコネクタに本体側の電源のコネクタが接続される際、電源が投入された状態で接続すると、遊技盤の主制御基板などに使用されている集積回路などに、予期せぬ高電圧が印加される場合があり、遊技盤上の回路部品を一瞬にして不良品とする虞があった。
【０００９】
本発明は、上述の課題を解決するものであり、遊技機本体の電源が投入された状態で、遊技盤またはそのコネクタが外された場合、それを検知して警告を発し、遊技盤の交換時の回路部品の破損を未然に防止することができるパチンコ遊技機を提供することを目的とする。
【課題を解決するための手段】
【００１０】
このために、本発明に係る請求項１のパチンコ遊技機は、遊技機本体に遊技盤が着脱可能に装着され、該遊技機本体には少なくとも電源制御基板を含む制御基板が取り付けられ、該遊技盤に取り付けられた遊技盤側制御基板と該遊技機本体の該制御基板間がコネクタを介して接続されたパチンコ遊技機において、該電源制御基板の電源が投入された状態で、該遊技盤が該遊技機本体から外されたことを検知する検知手段と、該検知手段が該遊技盤の離脱を検知したとき、警告を表示し或は音声で報知する警告報知手段と、を備えたことを特徴とする。
【００１１】
ここで、上記検知手段としては、遊技機本体の一部にまたは遊技盤を締付固定する締付金具に、該遊技盤を離脱したとき動作するスイッチ手段を設けることができる。
【００１２】
また、本発明の請求項３のパチンコ遊技機は、遊技機本体に遊技盤が着脱可能に装着され、該遊技機本体には少なくとも電源制御基板を含む制御基板が取り付けられ、該遊技盤に取り付けられた遊技盤側制御基板と該遊技機本体の該制御基板間がコネクタを介して接続されたパチンコ遊技機において、該電源制御基板の電源が投入された状態で、該遊技盤が該遊技機本体から外され、該制御基板間の該コネクタが抜脱されたことを検知する検知手段と、該検知手段が該遊技盤のコネクタの抜脱を検知したとき、警告を表示し或は音声で報知する警告報知手段と、を備えたことを特徴とする。
【００１３】
ここで、上記検知手段として、上記遊技盤側制御基板と遊技機本体の制御基板間に接続されたコネクタに検知回路が接続され、該コネクタの抜脱により該検知回路の入力端子が非接続状態となったとき、該遊技機本体の制御基板側で該検知回路の入力端子に印加した電圧の変化を検知してコネクタの抜脱を検知するように構成することができる。
【００１４】
また、上記検知手段として、上記遊技機本体側の制御基板内に検知回路が配設され、前記遊技盤側制御基板と遊技機本体の制御基板間に接続されたコネクタを通して該遊技盤側の制御基板から信号が該検知回路に常時入力され、該検知回路は、該コネクタの抜脱により該信号の入力が遮断されたとき、コネクタの抜脱を検知するように構成することができる。
【００１５】
また、上記警告報知手段として、遊技機本体にランプ駆動基板とランプを装着し、上記検知手段が遊技盤のコネクタの抜脱を検知したとき、ランプ駆動基板を動作させランプを点灯表示して報知するように構成することができる。この場合、検知手段として、検知回路をランプ駆動基板に設けることができる。或は、遊技機本体に音声アンプ基板とスピーカを装着し、上記検知手段が遊技盤のコネクタの抜脱を検知したとき、音声アンプ基板を動作させて、スピーカから警告音を発生させることができる。この場合、検知手段として、検知回路を音声アンプ基板に設けることができる。
【発明の効果】
【００１６】
上記請求項１のパチンコ遊技機では、遊技盤を交換する際、先ず、遊技盤の縁部をロックしている複数の締付金具をアンロック状態とし、遊技盤を遊技機本体から外す。このとき、遊技機本体の電源が投入された状態で、遊技盤の締付金具を外し或は遊技盤を遊技機本体から外すと、検知手段がその遊技盤の離脱を検知する。そして、警告報知手段が電源オン状態における遊技盤の離脱について警告表示を行ない、または音声で報知する。このため、遊技盤を交換する作業者は、この警告表示を見て或は聞いて、遊技機本体の電源が投入されたまま、遊技盤を遊技機本体から外したことを認識することができる。
【００１７】
したがって、遊技機本体の電源が投入されたまま、遊技盤を外したことを認識した作業者は、新たな遊技盤を装着する際、先ず遊技機本体の電源スイッチをオフする操作を行なう。そして、電源をオフした状態で、新遊技盤を遊技機本体に装着し、遊技盤側制御基板と遊技機本体の制御基板間のコネクタを接続するため、電源が投入された状態でコネクタが接続されることによって、遊技盤の主制御基板などの集積回路に、予期せぬ高電圧が印加され、回路部品を破損させる事故を未然に防止することができる。
【００１８】
上記請求項３のパチンコ遊技機では、遊技盤を交換する際、先ず、遊技盤の縁部をロックしている複数の締付金具をアンロック状態とし、遊技盤を遊技機本体から外す。このとき、遊技機本体の電源が投入された状態で、遊技盤側制御基板と遊技機本体の制御基板間に接続されたコネクタを抜脱すると、検知手段がそのコネクタの抜脱を検知する。そして、警告報知手段がそのコネクタの抜脱を警告表示し、または音声で報知する。このため、遊技盤を交換する作業者は、この警告表示を見て或は聞いて、遊技機本体の電源が投入されたまま、遊技盤を遊技機本体から外し、コネクタを抜脱したことを認識することができる。
【００１９】
したがって、遊技機本体の電源が投入されたまま、遊技盤を外したことを認識した作業者は、新たな遊技盤を装着する際、先ず遊技機本体の電源スイッチをオフする操作を行なう。そして、電源をオフした状態で、新遊技盤を遊技機本体に装着し、遊技盤側制御基板と遊技機本体の制御基板間のコネクタを接続するため、電源が投入された状態でコネクタが接続されることによって、遊技盤の主制御基板などの集積回路に、予期せぬ高電圧が印加され、回路部品を破損させる事故を未然に防止することができる。
【００２０】
また、遊技機本体に、コネクタに接続されるランプ駆動基板とランプが装着される場合、上記検知手段としての検知回路をランプ駆動基板内に配設すれば、検知と警告表示を行なう専用の回路基板などを設置する必要がなく、現状のパチンコ遊技機において比較的簡単に適用することができる。また、同様に、遊技機本体に、コネクタに接続される音声アンプ基板とスピーカが装着される場合、上記検知手段としての検知回路を音声アンプ基板内に配設すれば、現状のパチンコ遊技機において比較的簡単に本発明を適用することができる。
【発明を実施するための最良の形態】
【００２１】
以下、本発明の一実施形態を図面に基づいて説明する。図１は、パチンコ遊技機の遊技機本体１から遊技盤２を外した状態の正面図を示し、図２は遊技盤２の背面図を示している。遊技機本体１は、外枠２の内側に前枠３がヒンジを介して開閉可能に軸支されて構成され、前枠３の内側には、遊技盤４が着脱可能に取り付けられている。
【００２２】
図１のように、遊技機本体１内には、遊技盤４の形状に対応した形状の開口部７が形成され、その開口部７の４隅に締付金具が取り付けられ、遊技盤４は、正面からその開口部７内に嵌め込まれ、４隅の締付金具をロックして装着される。また、この際、遊技機本体１側のコネクタ１６と遊技盤４側のコネクタ４６が接続され、後述する遊技機本体１と遊技盤４に搭載される各種の制御基板、つまり遊技機本体１側と遊技盤４側に取り付けられる電源制御基板１５、主制御基板４１などの制御基板が、中継端子板とその端部に取り付けたコネクタ１６，４６を介して、電気接続される。
【００２３】
遊技機本体１には、図１に示すように、正面視で左側に賞球払出装置６が配設され、中央下部には球発射装置５が配設されている。遊技機本体１側のコネクタ１６は、球発射装置５の右上位置で、開口部７の右下部に、正面を向いて配設されている。遊技盤４側のコネクタ４６は、図２に示すようにその背面の左下部に配設され、遊技盤４を開口部７に嵌入したとき、コネクタ４６が遊技機本体１側のコネクタ１６にそのまま嵌合し、接続されるようにしている。
【００２４】
各々のコネクタ１６、４６は、図示しない中継端子板の端部に接続され、中継端子板を介して各制御基板に接続されている。また、各コネクタ１６，４６は、フローティングコネクタによって構成され、遊技盤４を遊技機本体１に装着する際、各コネクタ１６、４６が所定の許容範囲内で移動し、容易に接続できるようにしている。
【００２５】
また、これらのコネクタ１６，４６のうちの何れか１対のコネクタピンが、後述のように、検知回路１７用に使用され、遊技機本体１側の電源が投入された状態で、遊技盤４が本体１から外されたとき、そのコネクタ１６，４６の抜脱を検知するようにしている。
【００２６】
遊技機本体１には、図４に示すように、賞球払出装置６の払出を制御するための払出制御基板１１が装着され、球発射装置５による遊技球の発射を制御するための発射制御基板１２が装着されている。さらに、遊技機本体１には、その前枠３などに取り付けられた装飾ランプ９を点灯するためのランプ駆動基板１３が装着され、加えて、遊技演出などに使用する音声を出力するために、音声アンプ基板１４が遊技機本体１に装着され、音声アンプ基板１４の出力側には前枠３などに取り付けられたスピーカ８が接続されている。さらに、上記の各制御基板１１〜１４を含むすべての制御基板及び電気機器に電力を供給するために、遊技機本体１に電源制御基板１５が装着され、遊技盤４側の主制御基板４１、図柄変動表示装置４４などにも、コネクタ１６，４６を介して電力が供給される。
【００２７】
図１〜図４の例では、遊技機本体１側のコネクタ１６が３個のコネクタに分割されており、ここでは、例えば第１のコネクタが遊技盤４側の主制御基板４１と遊技機本体１側の払出制御基板１１との接続に使用され、第２のコネクタが遊技機本体１側の電源制御基板１５と遊技盤４側の全ての基板と電気部品に電源供給用に接続するために使用され、第３のコネクタは、遊技盤４側の電飾制御基板４３と遊技機本体１側のランプ駆動基板１３を接続し、さらに遊技盤４側の音声制御基板４５と遊技機本体１側の音声アンプ基板１４を接続するために使用される。電源制御基板１５には、図４のように、電源スイッチ１５ａが接続されている。
【００２８】
さらに、図５に示すように、遊技機本体１側の何れかの制御基板上には、電源を投入した状態で遊技盤４が外されてコネクタ１６，４６が抜脱されたとき、それを検知するために、検知回路１７が装着されている。この検知回路１７は、その入力側をコネクタ１６の何れか１対のコネクタピン１６ａに接続し、コネクタ１６，４６が抜脱されたとき、１対のコネクタピン１６ａがオープンとなり、そこに印加されていた力端子間の電圧の変化を検出してコネクタ１６，４６の抜脱を検知するように構成される。
【００２９】
遊技盤４側のコネクタ４６において、対応する１対のコネクタピン４６ａには短絡線が接続され、コネクタ１６と４６が接続されている状態で、コネクタ１６の１対のコネクタピン１６ａ間は、コネクタピン４６ａと短絡線によって短絡しており、遊技盤４を外したとき、コネクタ１６，４６の抜脱により１対のコネクタピン１６ａ間はオープンとなる。
【００３０】
検知回路１７の出力側は、ランプ駆動基板１３と音声アンプ基板１４に接続され、検知回路１７は、コネクタ１６，４６の抜脱を検知したとき、所定の検知信号をランプ駆動基板１３と音声アンプ基板１４に出力し、ランプ駆動基板１３を動作させて、遊技機本体１に装着された装飾ランプ９を点灯表示させ、音声アンプ基板１４を動作させてスピーカ８から警告音を発生させる。
【００３１】
なお、検知回路１７は、図５に示すように、ランプ駆動基板１３、音声アンプ基板１４以外の制御基板上に配設したが、上記のように、ランプ駆動基板１３、音声アンプ基板１４はその入力側がコネクタ１６に接続される回路基板であるから、コネクタの抜脱を検知する検知回路１７は、これらのランプ駆動基板１３、音声アンプ基板１４の何れかに配設することもできる。
【００３２】
一方、遊技盤４には、図４に示すように、その背面側に、パチンコゲームの基本的な動作を制御し始動条件成立時に図柄変動コマンドを各制御基板に出力する主制御基板４１、主制御基板４１からの図柄変動コマンドを入力し図柄の変動表示制御を行う図柄制御基板４４、主制御基板４１からコマンドデータを入力し音声の発生を制御する音声制御基板４５、及び主制御基板４１からのコマンドデータを入力し装飾ランプなどの点灯を制御する電飾制御基板４３が装着されている。また、遊技盤４の正面中央部には、図柄制御基板４４により制御され図柄の変動表示を行う図柄変動表示装置４４が装着される。図２に示すように、遊技盤４の背面側は、カバー部材４０によりカバーされており、上記制御基板４１〜４５は、合成樹脂製のカバー部材４０で覆われ、保護されている。
【００３３】
さらに、図２、図３に示すように、遊技盤４の背面左下部に、上記遊技機本体１側のコネクタ１６に対応したコネクタ４６が配設され、上述のように、遊技盤４を開口部７に嵌入したとき、コネクタ４６が遊技機本体１側のコネクタ１６にそのまま嵌合し、接続されるようにしている。
【００３４】
遊技盤４側のコネクタ４６も上記遊技機本体１側のコネクタ１６と同様に、３個のコネクタに分割されており、例えば、第１のコネクタは主制御基板４１と遊技機本体１側の払出制御基板１１の接続用に使用され、第２のコネクタは遊技機本体１側の電源制御基板１５から供給される電源線を遊技盤４側の全ての基板と電気部品の接続のために使用され、第３のコネクタは、電飾制御基板４３と遊技機本体１側のランプ駆動基板１３の接続用に、さらに音声制御基板４５と遊技機本体１側の音声アンプ基板１４の接続用に使用される。
【００３５】
遊技盤４に装着される主制御基板４１は、基本的にはＣＰＵを主要部としたＣＰＵユニットから構成され、予め記憶されたプログラムに基づき各種の処理を実施するＣＰＵ、そのプログラムデータを記憶する読み出し専用のＲＯＭ、ＣＰＵのワークエリアとして動作し、データ等を一時的に記憶し、入賞球数をカウントする領域、ラウンド数をカウントする領域を設けた読み書き可能なＲＡＭ、及び入出力回路を有して構成される。
【００３６】
主制御基板４１の入出力回路には、図示しない始動入賞口検出器、大入賞口検出器、継続入賞口検出器、普通入賞口検出器などが入力系に接続され、大入賞口ソレノイドと始動入賞口ソレノイドがその出力系に接続される。
【００３７】
主制御基板４１のＣＰＵは、チューリップや大入賞口の開閉部材の開閉などの制御を行うと共に、遊技中に、始動入賞口に遊技球が入賞するなどして始動条件が成立すると、乱数発生器から例えば大当り抽選用の乱数を取得して、大当り抽選を行ない、さらにその乱数が大当りの場合、通常図柄の大当りか或いは特定図柄の大当りかを決定し、外れ乱数の場合、リーチ、リーチ予告などリーチ演出の決定を行うと共に、はずれの停止図柄を決定する。
【００３８】
また、主制御基板４１のＣＰＵは、大当り乱数を取得し、所定図柄に揃って変動図柄が停止して、大当りが確定したとき、大当り信号を発生し、所定の大当り処理を実行する。さらに、ＣＰＵは、それらの抽選結果に基づき、図柄変動コマンドを、図柄制御基板４２、音声制御基板４５、及び電飾制御基板４３に出力する。これらの図柄変動コマンドを入力した図柄制御基板４２、音声制御基板４５、及び電飾制御基板４３は、予め記憶された演出プログラムを選択・決定して実行するように構成される。
【００３９】
さらに、図柄変動表示装置４４の図柄変動を制御する図柄制御基板４２は、主制御基板４１と同様に、ＣＰＵユニットを主要部として構成され、ＣＰＵは、ＲＯＭに予め記憶されたプログラムに基づき、パチンコゲームの進行に応じて、図柄変動表示装置４４の表示器に図柄変動を行う。つまり、始動入賞口に入賞した際などの始動条件の成立時には、図柄変動を開始し、主制御基板４１から送られた図柄変動コマンドに基づき演出プログラムを決定し、その演出プログラムに対応した図柄変動プログラムを実行するためのデータをＲＯＭから読み出し、図柄変動表示装置４１の表示器にそれを表示するように制御を行う。
【００４０】
さらに、音声制御基板４５は、上記主制御基板４１と同様に、ＣＰＵユニットを主要部として構成され、ＣＰＵは、ＲＯＭに予め記憶されたプログラムに基づき、パチンコゲームの進行に応じて、音声信号を音声アンプ基板１４に送り、スピーカ８から各種の音声を発生させる。始動入賞口に入賞した際などの始動条件の成立時には、図柄制御基板４２から送られた図柄変動コマンドに基づき、演出プログラムを決定し、その演出プログラムに対応した音声を発生するためのデータをＲＯＭから読み出し、スピーカ８から音声を発生させる。
【００４１】
さらに、電飾制御基板４３は、ＣＰＵユニットを主要部として構成され、ＣＰＵは、ＲＯＭに予め記憶されたプログラムに基づき、パチンコゲームの進行に応じて、遊技機本体前面に取り付けられたサイドランプ等の装飾ランプ９を点灯或は点滅させる。始動入賞口に入賞した際などの始動条件の成立時には、図柄制御基板４２から送られた図柄変動コマンドに基づき、演出プログラムを決定し、その演出プログラムに対応したデータをＲＯＭから読み出し、そのデータに基づきサイドランプ等の装飾ランプ９を点灯或は点滅させる。
【００４２】
上記構成のパチンコ遊技機において、遊技盤４を交換する場合、先ず、遊技盤４の縁部をロックしている複数の締付金具をアンロック状態とし、遊技盤４を正面側に引いて遊技機本体１から外すと、図６のように、右下部の遊技盤４側のコネクタ４６が、遊技機本体１側のコネクタ１６から抜脱される。
【００４３】
このとき、遊技機本体１の電源スイッチ１５ａが投入された状態で、コネクタ１６，４６を抜脱すると、図５に示すように、コネクタ１６のコネクタピン１６ａに接続されたコネクタ６のコネクタピン４６ａが外れ、その短絡線が外れるため、コネクタピン１６ａを入力端子に接続した検知回路１７は、その入力端子間に印加された電圧の変化などに基づき、そのコネクタ１６，４６の抜脱を検知する。
【００４４】
このとき、検知回路１７は、ランプ駆動基板１３と音声アンプ基板１４に検知信号を出力し、これにより、ランプ駆動基板１３は装飾ランプ９を点灯駆動して、電源がオンされた状態で、遊技盤４が外され、コネクタ１６，４６が抜脱したことを表示する。また同時に、音声アンプ基板１４はスピーカ８を駆動して、電源がオンされた状態で、遊技盤４が外され、コネクタ１６，４６が抜脱したことを示す警告音（音声や警報音など）を発生させて報知する。
【００４５】
このため、遊技盤４を交換する作業者は、この警告表示を見て或はその警告音を聞いて、遊技機本体１の電源が投入されたまま、遊技盤４を遊技機本体１から外し、コネクタ１６，４６を抜脱したことを認識する。
【００４６】
したがって、遊技機本体１の電源が投入されたまま、遊技盤４を外したことを認識した作業者は、新たな遊技盤を装着する際、先ず遊技機本体１の電源スイッチ１５ａをオフする操作を行なう。そして、電源をオフした状態で、新遊技盤を遊技機本体１に装着し、コネクタ１６，４６を接続する。よって、電源が投入された状態でコネクタ１６，４６が接続され、遊技盤４の主制御基板４１などの集積回路に、予期せぬ高電圧が印加されて、回路部品を破損させるという事故を、未然に防止することができる。
【００４７】
なお、上記実施形態では、コネクタ１６，４６の抜脱を検知する検知回路１７を、ランプ駆動基板１３または音声アンプ基板１４以外の制御基板に設けたが、ランプ駆動基板１３または音声アンプ基板１４内に検知回路１７を設けることもできる。
【００４８】
また、検知手段として、マイクロスイッチなどのスイッチ手段を遊技機本体１における開口部７の縁部または遊技盤４の締付金具近傍に設けておき、電源をオンした状態で、遊技盤４が遊技機本体１から外されたとき、スイッチ手段がオンオフ動作して信号を発生し、それによって、遊技盤の離脱を検知することもできる。
【００４９】
さらに、上記実施形態では、検知回路１７の入力端子側をコネクタ１６の特定の１対のコネクタピン１６ａに接続し、遊技盤４側の対応するコネクタ４６のコネクタピン４６ａに短絡線を接続してコネクタの抜脱時の検知を行なったが、このようなコネクタピン４６ａに短絡線を接続する代わりに、遊技盤４の制御基板から常時信号がコネクタ１６，４６を通して遊技機本体側の制御基板に入力される構造とし、遊技機本体１側の何れかの制御基板内に設けた検知回路によりこの遊技盤４からの入力信号を常時受信し、コネクタ１６，４６の抜脱により、その信号の入力が遮断されたとき、検知回路がコネクタの抜脱を検知するように構成することもできる。
【図面の簡単な説明】
【００５０】
【図１】本発明の一実施形態を示すパチンコ遊技機における遊技盤を外した状態の遊技機本体の正面図である。
【図２】遊技盤の背面図である。
【図３】遊技盤におけるコネクタ４６の部分拡大図である。
【図４】遊技機本体と遊技盤に搭載される各種制御基板の説明図である。
【図５】コネクタ１６，４６に接続される検知回路の説明図である。
【図６】（ａ）は遊技盤を嵌め込む際のコネクタの状態を示す部分断面図、（ｂ）は遊技盤を嵌め込み、コネクタを接続した状態の部分断面図である。
【符号の説明】
【００５１】
１−遊技機本体
４−遊技盤
８−スピーカ
９−装飾ランプ
１１−払出制御基板
１２−発射制御基板
１３−ランプ駆動基板
１４−音声アンプ基板
１５−電源制御基板
１５ａ−電源スイッチ
１６，４６−コネクタ
１７−検知回路
４１−主制御基板
４２−図柄制御基板
４３−電飾制御基板
４４−図柄変動表示装置
４５−音声制御基板
【図１】
2006280510.tif 000003
【図２】
2006280510.tif 000004
【図３】
2006280510.tif 000005
【図４】
2006280510.tif 000006
【図５】
2006280510.tif 000007
【図６】
2006280510.tif 000008